(57)【要約】【課題】ランプの取り付け時に懸念される異物の侵入や半田クラックを防止することができる操作パネル装置の照光機構を提供すること。【解決手段】ケース２内に取り付けられた第１の回路基板６にランプ１０の外形よりも大きな逃げ孔１１を穿設し、この第１の回路基板６の裏面に所定間隔を存して第２の回路基板７を対向配置すると共に、これら第１および第２の回路基板６，７をフレキシブルケーブル８を介して接続する。そして、第２の回路基板７をフレキシブルケーブル８を介して第１の回路基板６に接続したままケース２の外部に引き出し、この状態でランプ１０を第２の回路基板７に取り付けた後、第２の回路基板７をフレキシブルケーブル８を支点として第１の回路基板６と対向するように回動することにより、ランプ１０を逃げ孔１１を通って操作ノブ４の裏面と対向するように構成した。【選択図】　　　図３
2004111256.tif 000002
【特許請求の範囲】
【請求項１】
筐体の前面に配設された操作ノブと、この操作ノブの裏面に対向するように前記筐体の内部に配設された第１の回路基板と、この第１の回路基板の裏面に対向するように前記筐体の内部に配設された第２の回路基板と、これら第１および第２の回路基板を接続するフレキシブルケーブルと、前記第２の回路基板に取り付けられたランプとを備え、前記第１の回路基板に前記ランプの外形よりも大きな逃げ孔を形成し、前記第２の回路基板を前記フレキシブルケーブルを支点として前記第１の回路基板に対向するように回動したとき、前記ランプが前記逃げ孔を通って前記操作ノブの裏面と対向するように構成したことを特徴とする操作パネル装置の照光機構。
【請求項２】
請求項１の記載において、前記第１の回路基板に前記操作ノブによって動作される中空形状のロータリエンコーダを搭載し、このロータリエンコーダの中空部内に前記逃げ孔を形成したことを特徴とする操作パネル装置の照光機構。
【請求項３】
請求項１または２の記載において、前記逃げ孔をその短手方向が前記ランプの外形と略同一な細長形状に形成したことを特徴とする操作パネル装置の照光機構。
【発明の詳細な説明】
【０００１】
【発明の属する技術分野】
本発明は、オーディオシステムの音量調整やエアコンシステムの風量調整等に使用される操作パネル装置の照光機構に係り、特に、回路基板に取り付けられたランプから発せられる光によって操作ノブを照光するようにした操作パネル装置の照光機構に関する。
【０００２】
【従来の技術】
図４は従来より知られている車載用操作パネル装置の一例を示す断面図であり、同図に示すように、インストルパネルの凹所等の所定位置に取り付けられる筐体１は、前面に開口２ａを有し後面を開放したケース２と、このケース２の後面に接合・一体化されたカバー３とで構成されている。ケース２の前面には搭乗者によって回転操作される操作ノブ４が配設されており、この操作ノブ４は開口２ａから突出している。操作ノブ４は透過性の合成樹脂で成形されており、その表面に図示せぬ照光部を除いて遮光性塗料が塗布されると共に、その裏面に有色フィルム等からなる調光部材５が貼着されている。
【０００３】
ケース２の内部には第１の回路基板６と第２の回路基板７が所定の間隔を存して対向配置されており、これら第１および第２の回路基板６，７には図示せぬ回路部品が半田付けされている。また、第１および第２の回路基板６，７にはフレキシブルケーブル８の両端が半田付けされており、このフレキシブルケーブル８を介して第１および第２の回路基板６，７は電気的に接続されている。さらに、第１の回路基板６には小孔６ａが穿設されると共に、第２の回路基板７には取付孔７ａが穿設されており、これら小孔６ａと取付孔７ａは同一線上に配置されている。
【０００４】
第１の回路基板６はケース２に設けられた図示せぬボスにねじ止め等で固定されており、この第１の回路基板６上にはロータリエンコーダ９が搭載されている。このロータリエンコーダ９は中空形状に形成されており、操作ノブ４はケース２の内部でロータリエンコーダ９のロータ部材に嵌合・固定されている。一方、第２の回路基板７はケース２の内側面に設けられた図示せぬ突起にスナップやねじ止め等で固定されており、この第２の回路基板７に取り付けられたランプ１０は第１の回路基板６の小孔６ａを挿通している。このランプ１０は基端側に鍔部１０ａとバヨネット爪１０ｂを有しており、これら鍔部１０ａとバヨネット爪１０ｂが取付孔７ａの表裏両周縁に係止することにより、ランプ１０は第２の回路基板７に固定されて操作ノブ４の裏面と対向するようになっている。
【０００５】
このように構成された操作パネル装置において、搭乗者が操作ノブ４を摘んで回転操作すると、操作ノブ４に連動してロータリエンコーダ９のロータ部材が回転することにより、ロータリエンコーダ９から操作ノブ４の回転量と回転方向に応じた信号が出力される。したがって、ロータリエンコーダ９からの出力信号に基づいて、例えばオーディオシステムの音量調整やエアコンシステムの風量調整等を行うことができる。また、夜間等の暗所においてランプ１０が点灯されると、ランプ１０の光が調光部材５を透過して操作ノブ４の照光部に達するため、搭乗者は暗所でも操作ノブ４の位置を視認することができる。
【０００６】
【発明が解決しようとする課題】
ところで、前述した従来の操作パネル装置では、交換部品であるランプ１０の脱着作業を容易にするために、フレキシブルケーブル８を介して接続された第１および第２の回路基板６，７をケース２内に組み込んだ状態で、第２の回路基板７の外方からランプ１０を取付孔７ａに取り付けるようにしている。すなわち、ランプ１０を第２の回路基板７に取り付ける場合は、ランプ１０を第２の回路基板７の外方から取付孔７ａと第１の回路基板６の小孔６ａに順次挿入した後、鍔部１０ａを取付孔７ａの裏面に突き当てて回転することにより、鍔部１０ａとバヨネット爪１０ｂが取付孔７ａの周縁に係止してランプ１０を第２の回路基板７に取り付けることができる。
【０００７】
しかしながら、このような構成を採用すると、ランプ１０の取り付け作業時にバヨネット爪１０ｂによって第２の回路基板７が削られた場合、その削りかすがケース２内に入り込んで調光部材５に付着することにより、照光時の影が発生するという問題があった。また、ケース２内に取り付けられた第２の回路基板７はその板厚方向に可撓性を有するため、ランプ１０の取り付け作業時に第２の回路基板７が撓みやすく、その結果、第２の回路基板７に実装された回路部品の半田付け部分にクラックが入るという問題もあった。
【０００８】
本発明は、このような従来技術の実情に鑑みてなされたもので、その目的は、ランプの取り付け時に懸念される異物の侵入や半田クラックを防止することができる操作パネル装置の照光機構を提供することにある。
【０００９】
【課題を解決するための手段】
上述した目的を達成するために、本発明による操作パネル装置の照光機構では、筐体の前面に配設された操作ノブと、この操作ノブの裏面に対向するように前記筐体の内部に配設された第１の回路基板と、この第１の回路基板の裏面に対向するように前記筐体の内部に配設された第２の回路基板と、これら第１および第２の回路基板を接続するフレキシブルケーブルと、前記第２の回路基板に取り付けられたランプとを備え、前記第１の回路基板に前記ランプの外形よりも大きな逃げ孔を形成し、前記第２の回路基板を前記フレキシブルケーブルを支点として前記第１の回路基板に対向するように回動したとき、前記ランプが前記逃げ孔を通って前記操作ノブの裏面と対向するように構成した。
【００１０】
このように構成された操作パネル装置の照光機構によれば、フレキシブルケーブルを介して第１の回路基板に接続された第２の回路基板のみを筐体の外部に引き出し、この状態でランプを第２の回路基板に取り付けた後、該第２の回路基板をフレキシブルケーブルを支点として第１の回路基板と対向するように回動して筐体内に組み込めば、ランプを第１の回路基板の逃げ孔を通って操作ノブの裏面に対向させることができる。すなわち、第２の回路基板を筐体の外部に引き出した状態でランプの取り付け作業を行うことができるため、第２の回路基板の削りかすが筐体の内部に入り込むことを防止でき、また、作業者が第２の回路基板を手で持ってランプを取り付けることができるため、第２の回路基板の半田クラックを防止することができる。
【００１１】
上記の構成において、第１の回路基板に操作ノブによって動作される中空形状のロータリエンコーダを搭載し、このロータリエンコーダの中空部内に逃げ孔を形成することが好ましい。
【００１２】
また、上記の構成において、逃げ孔はランプの回動軌跡を妨げないものであれば良いが、逃げ孔をその短手方向がランプの外形と略同一な細長形状に形成することが好ましい。
【００１３】
【発明の実施の形態】
発明の実施の形態について図面を参照して説明すると、図１は実施形態例に係る車載用操作パネル装置の断面図、図２は該操作パネル装置に備えられる第１の回路基板の平面図、図３は該操作パネル装置におけるランプの取り付け作業を示す説明図であり、図４に対応する部分には同一符号を付してある。
【００１４】
本実施形態例に係る操作パネル装置が図４に示す従来例と相違する点は、第１の回路基板６にランプ１０の外形よりも大きな逃げ孔１１を穿設し、第２の回路基板７をフレキシブルケーブル８の接続端側を支点として回動したとき、ランプ１０がこの逃げ孔１１を通って操作ノブ４の裏面と対向するように構成したことにあり、それ以外の構成は基本的に同じである。すなわち、図１に示すように、インストルパネルの凹所等の所定位置に取り付けられる筐体１は、前面に開口２ａを有し後面を開放したケース２と、このケース２の後面に接合・一体化されたカバー３とで構成されている。ケース２の前面には搭乗者によって回転操作される操作ノブ４が配設されており、この操作ノブ４は開口２ａから突出している。操作ノブ４は透過性の合成樹脂で成形されており、その表面に図示せぬ照光部を除いて遮光性塗料が塗布されると共に、その裏面に有色フィルム等からなる調光部材５が貼着されている。
【００１５】
ケース２の内部には第１の回路基板６と第２の回路基板７が所定の間隔を存して対向配置されており、これら第１および第２の回路基板６，７には図示せぬ回路部品が半田付けされている。また、第１および第２の回路基板６，７にはフレキシブルケーブル８の両端が半田付けされており、このフレキシブルケーブル８を介して第１および第２の回路基板６，７は電気的に接続されている。第１の回路基板６はケース２に設けられた図示せぬボスにねじ止め等で固定されており、この第１の回路基板６上にはロータリエンコーダ９が搭載されている。このロータリエンコーダ９は中空形状に形成されており、操作ノブ４はケース２の内部でロータリエンコーダ９のロータ部材に嵌合・固定されている。図２に示すように、第１の回路基板６には楕円形状の逃げ孔１１が穿設されており、この逃げ孔１１はロータリエンコーダ９の中空部内に位置している。逃げ孔１１の短手方向の寸法はランプ１０の外形よりも僅かに大きく設定されているが、逃げ孔１１の長手方向の寸法はランプ１０の外形よりも十分大きな長さに設定されている。一方、第２の回路基板７はケース２の内側面に設けられた図示せぬ突起にスナップやねじ止め等で固定されており、この第２の回路基板７に取り付けられたランプ１０は第１の回路基板６の逃げ孔１１を挿通している。このランプ１０は基端側に鍔部１０ａとバヨネット爪１０ｂを有しており、これら鍔部１０ａとバヨネット爪１０ｂが取付孔７ａの周縁に係止することにより、ランプ１０は第２の回路基板７に固定されて操作ノブ４の裏面と対向するようになっている。
【００１６】
このように構成された操作パネル装置において、ランプ１０を第２の回路基板７に取り付ける場合は、図３に示すように、まず、カバー３をケース２から取り外して第２の回路基板７のみをケース２の後部開放端から外部に引き出す。この場合、第２の回路基板７はフレキシブルケーブル８を介してケース２内の第１の回路基板６に接続されているが、フレキシブルケーブル８と反対側の自由端（図３の右端）はケース２の外部に大きく引き出すことができる。しかる後、この状態でランプ１０を第２の回路基板７の取付孔７ａに挿入し、鍔部１０ａを取付孔７ａの裏面に突き当てて回転することにより、鍔部１０ａとバヨネット爪１０ｂが取付孔７ａの表裏両周縁に係止してランプ１０を第２の回路基板７に取り付ける。次に、第２の回路基板７をフレキシブルケーブル８を支点に図３の矢印方向に回動して第１の回路基板６と対向させた後、この第２の回路基板７をケース２の内側面に設けられた図示せぬ突起にスナップやねじ止め等で固定し、最後にカバー３をケース２の後面に取り付けて接合・一体化することにより、図１に示すように、ランプ１０を第１の回路基板６の逃げ孔１１を通って操作ノブ４の裏面に対向させることができる。
【００１７】
このように本実施形態例に係る操作パネル装置では、第２の回路基板７をケース２の外部に引き出した状態でランプ１０の取り付け作業を行うことができるため、ランプ１０の取り付け時に発生する第２の回路基板７の削りかすがケース２の内部に入り込むことはなく、この削りかすが調光部材５に付着することによる照光時の影を確実に防止できる。また、作業者が第２の回路基板７を手で持ってランプ１０を取り付けることが可能になるため、ランプ１０の取り付け作業時に第２の回路基板７の板厚方向への撓みが抑制され、第２の回路基板７に実装された回路部品の半田付け部分にクラックが入ることを防止できる。さらに、逃げ孔１１を細長い楕円形状としたため、第１の回路基板６の部品実装面積を確保した上でランプ１０の回動挿入を許容することができる。
【００１８】
【発明の効果】
本発明は、以上説明したような形態で実施され、以下に記載されるような効果を奏する。
【００１９】
第２の回路基板を筐体の外部に引き出した状態でランプの取り付け作業を行うことができるため、第２の回路基板の削りかすが筐体の内部に入り込むことを防止できると共に、作業者が第２の回路基板を手で持ってランプを取り付けることができるため、第２の回路基板の半田クラックを防止することができる。
【図面の簡単な説明】
【図１】本発明の実施形態例に係る車載用操作パネル装置の断面図である。
【図２】該操作パネル装置に備えられる第１の回路基板の平面図である。
【図３】該操作パネル装置におけるランプの取り付け作業を示す説明図である。
【図４】従来例に係る車載用操作パネル装置の断面図である。
【符号の説明】
１　筐体
２　ケース
２ａ　開口
３　カバー
４　操作ノブ
６　第１の回路基板
７　第２の回路基板
７ａ　取付孔
８　フレキシブルケーブル
９　ロータリエンコーダ
１０　ランプ
１０ａ　鍔部
１０ｂ　バヨネット爪
１１　逃げ孔
【図１】
2004111256.tif 000003
【図２】
2004111256.tif 000004
【図３】
2004111256.tif 000005
【図４】
2004111256.tif 000006